(57)【要約】【課題】筐体にケーブル固定具を固定するための通し孔やネジ孔等を設ける必要のないケーブル固定装置を得ること。【解決手段】制御装置の筐体５０に取付けられ、機器ユニット２ａ〜２ｃが取付けられる金属レール１と、前記機器ユニット２ａ〜２ｃとともに前記金属レール１に取付けられ、該機器ユニット２ａに接続されるシールドケーブル３の端部を前記機器ユニット２ａの近傍に固定し、かつ、前記シールドケーブル３の端部のシールド部３ａを前記金属レール１を介して接地させるケーブル固定具４と、を備える。【選択図】        図１−１
2008153283.tif 000002
【特許請求の範囲】
【請求項１】
制御装置の筐体に取付けられ、機器ユニットが取付けられる金属レールと、
前記機器ユニットとともに前記金属レールに取付けられ、該機器ユニットに接続されるシールドケーブルの端部を前記機器ユニットの近傍に固定し、かつ、前記シールドケーブルの端部のシールド部を前記金属レールを介して接地させるケーブル固定具と、
を備えることを特徴とするケーブル固定装置。
【請求項２】
前記ケーブル固定具は、
前記機器ユニットの側方で前記金属レールに取付けられるレール取付部と、
前記レール取付部から前方へ延びるアーム部と、
前記アーム部から前記機器ユニットの前方へ横方向に延びるケーブル支持部と、
を備えることを特徴とする請求項１に記載のケーブル固定装置。
【請求項３】
前記アーム部は、前記レール取付部の上下方向に離間した複数箇所のいずれかに取付け可能であることを特徴とする請求項２に記載のケーブル固定装置。
【請求項４】
前記アーム部は、前記レール取付部上を上下方向にスライド可能に取付けられていることを特徴とする請求項２に記載のケーブル固定装置。
【請求項５】
前記アーム部は、前記レール取付部に上下回動可能に取付けられていることを特徴とする請求項２に記載のケーブル固定装置。
【請求項６】
前記アーム部は、伸縮可能であることを特徴とする請求項２〜５のいずれか一つに記載のケーブル固定装置。
【請求項７】
前記アーム部に着脱可能な長さの異なる複数のケーブル支持部を備えることを特徴とする請求項２〜６のいずれか一つに記載のケーブル固定装置。
【請求項８】
前記ケーブル支持部は、伸縮可能であることを特徴とする請求項２〜６のいずれか一つに記載のケーブル固定装置。
【発明の詳細な説明】
【技術分野】
【０００１】
本発明は、シーケンス制御装置等の制御装置に接続されるシールドケーブルの端部を、制御装置の機器ユニットの近傍に固定するケーブル固定装置に関するものである。
【背景技術】
【０００２】
従来のケーブル固定具として、筐体外部に突き出る円筒体と、筐体内部に位置する接地金具を取付けるための円筒状台座を一体化し、上記台座の端部は円筒の一部が切削されており、前記円筒体内を貫通して筐体内に導入されたケーブルの金属遮蔽層（シールド部）が上記台座の切削部に位置し、接地金具により締付けるものが知られている（例えば、特許文献１参照）。
【０００３】
また、ケーブルのシールド部を接地して電磁波の漏洩を防止する構造において、前記シールド部を押さえるための曲面部を備えたクランプ部と、同軸ケーブルと接続する同軸コネクタが挿通される貫通孔を備えたプレート部と、前記クランプ部と前記プレート部とを連結する連結部とからなる接地用上金具と、該接地用上金具と対称構造の接地用下金具とを備えたケーブル固定具が知られている（例えば、特許文献２参照）。
【０００４】
また、ケーブルを筐体に固定するための固定具であって、該ケーブルのシースを固定するためのクランパと、該ケーブルのシールド部を該筐体に接続するためのクランパを一体的に形成して構成したケーブル固定具が知られている（例えば、特許文献３参照）。
【０００５】
また、ケーブルの抱持部を形成した抱持部材と、前記抱持部材に嵌着し、前記抱持部を挿通する挿通孔を具備すると供に、前記ケーブルのシールド部と当接して電気的導通を取るシールド部材と、前記シールド部材に嵌着して前記抱持部に抱持された前記ケーブルを押圧固定する固定部材とから構成されたケーブル固定具が知られている（例えば、特許文献４参照）。
【０００６】
【特許文献１】特開平０７−３３６０８５号公報（図１、図２）
【特許文献２】実開平０４−０５６３８２号公報（図１）
【特許文献３】実開昭６３−２０１３９７号公報（図１）
【特許文献４】実開昭６２−０２３４９８号公報（図１、図２）
【発明の開示】
【発明が解決しようとする課題】
【０００７】
しかしながら、上記従来の技術は、いずれもケーブル固定具を筐体（パネル、フレーム）に固定する必要がある。そのため、筐体を加工して、ケーブル固定具を固定するための新たな通し孔やネジ孔等を設けなければならない、という問題があった。
【０００８】
本発明は、上記に鑑みてなされたものであって、筐体にケーブル固定具を固定するための通し孔やネジ孔等を設ける必要のないケーブル固定装置を得ることを目的とする。
【課題を解決するための手段】
【０００９】
上述した課題を解決し、目的を達成するために、本発明は、制御装置の筐体に取付けられ、機器ユニットが取付けられる金属レールと、前記機器ユニットとともに前記金属レールに取付けられ、該機器ユニットに接続されるシールドケーブルの端部を前記機器ユニットの近傍に固定し、かつ、前記シールドケーブルの端部のシールド部を前記金属レールを介して接地させるケーブル固定具と、を備えることを特徴とする。
【発明の効果】
【００１０】
この発明によれば、制御装置の筐体に、ケーブル固定具を固定するための通し孔やネジ孔等を設ける必要のないケーブル固定装置が得られる、という効果を奏する。
【発明を実施するための最良の形態】
【００１１】
以下に、本発明にかかるケーブル固定装置の実施の形態を図面に基づいて詳細に説明する。なお、この実施の形態によりこの発明が限定されるものではない。
【００１２】
実施の形態１．
図１−１は、本発明にかかるケーブル固定装置の実施の形態１を模式的に示す斜視図であり、図１−２は、実施の形態１を模式的に示す上面図であり、図１−３は、図１−２のＡ―Ａ線に沿う断面図でありケーブル固定具のレール取付部の詳細を示す図、図１−４は、図１−２のＢ−Ｂ線に沿う断面図でありケーブル固定具のケーブル支持部の詳細を示す図である。
【００１３】
図１−１〜図１−３に示すように、ＤＩＮ規格等の規格品であって、上下の縁部が段状に折り曲げ形成された金属レール１が、図示しないネジ等により金属筐体５０に取付けられている。金属レール１の下段部１ｂの幅は、上段部１ａの幅より広く形成されている。シーケンス制御装置の複数の直方体状の機器ユニット２ａ〜２ｃが、金属レール１に一列に取付けられている。機器ユニットとしては、Ｉ／Ｏユニット２ａ、ＣＰＵユニット２ｂ、電源ユニット２ｃ等がある。
【００１４】
金属製のケーブル固定具４は、縦長のレール取付部４ａと、レール取付部４ａから前方に延びるアーム部４ｂと、アーム部４ｂの前端部からＩ／Ｏユニット２ａの前方近傍へ横方向に延びるケーブル支持部４ｃと、を備えている。
【００１５】
ケーブル固定具４は、レール取付部４ａの上フック部４ｍ及び下フック部４ｎにより、金属レール１の上段部１ａ及び下段部１ｂを抱え込むようにして、機器ユニット２ａ〜２ｃの側方の金属レール１に取付けられる。下フック部４ｎの溝の深さは、上フック部４ｍの溝の深さより深く形成されている。
【００１６】
レール取付部４ａを金属レール１に取付けるときは、金属レール１の下段部１ｂをレール取付部４ａの下フック部４ｎの溝に挿入し、そのままレール取付部４ａを上方へ摺動させ、金属レール１の上段部１ａをレール取付部４ａの上フック部４ｍの下側に位置させ、そのままレール取付部４ａを下方へ摺動させる。
【００１７】
そうすると、金属レール１の上段部１ａ及び下段部１ｂが、それぞれレール取付部４ａの上フック部４ｍ及び下フック部４ｎの溝に挿入され、ケーブル固定具４が、金属レール１に懸架されるように取付けられる。止めネジ４ｓ、４ｓを上フック部４ｍ及び下フック部４ｎにネジ込み、上段部１ａ及び下段部１ｂを締め付けて固定する。
【００１８】
図１−４に示すように、ケーブル支持部４ｃには、シールドケーブル３のシールド部３ａを挿通させる孔４ｄが設けられている。シールドケーブル３の端部は、芯線３ｂ及びシールド部３ａが段状に剥き出され、大径孔３ｙ、小径孔３ｚ及びネジ部３ｕが形成された金属製のソケット３ｘが取付けられている。
【００１９】
シールドケーブル３の被覆部がソケット３ｘの大径孔３ｙに固着され、シールド部３ａが小径孔３ｚに導電接続されている。ソケット３ｘのネジ部３ｕがケーブル支持部４ｃの孔４ｄに挿入され、ソケット３ｘは、ナット３ｍ、３ｎによりケーブル支持部４ｃに固定される。シールドケーブル３の芯線３ｂは、Ｉ／Ｏユニット２ａの端子に接続される。シールド部３ａは、ソケット３ｘ、ナット３ｍ、３ｎ、ケーブル固定具４及び金属レール１を経由して金属筐体５０に接地される。
【００２０】
なお、ケーブル固定具４のレール取付部４ａは、金属レール１に取付けることができ、かつ、金属レール１と電気的に導通できるものであれば、どのような形状であってもよい。また、ケーブル支持部４ｃ及びソケット３ｘは、シールドケーブル３の端部を機器ユニット２ａ〜２ｃの近傍に固定支持することができ、かつ、シールドケーブル３のシールド部３ａと電気的に導通できるものであれば、どのような形状であってもよい。
【００２１】
さらに、アーム部４ｂは、レール取付部４ａとケーブル支持部４ｃとを堅固に連結することができ、かつ、レール取付部４ａとケーブル支持部４ｃとを電気的に導通できるものであれば、どのような形状であってもよい。
【００２２】
金属レール１とケーブル固定具４とは、実施の形態１のケーブル固定装置を構成している。実施の形態１のケーブル固定装置を用いれば、制御装置の筐体５０に、ケーブル固定具４を固定するための通し孔やネジ孔等を設ける必要がない。
【００２３】
実施の形態２．
図２は、本発明にかかるケーブル固定装置の実施の形態２を模式的に示す斜視図である。  
【００２４】
図２に示すように、金属製の実施の形態２のケーブル固定具５は、縦長に形成され上下方向に離間させて３個のネジ穴５ｘ、５ｙ、５ｚを設けたレール取付部５ａと、板状に形成されネジ通し孔５ｗを設けたネジ止め部５ｄと、ネジ止め部５ｄから前方に延びるアーム部５ｂと、アーム部５ｂの前端部からＩ／Ｏユニット２ａの前方近傍へ横方向に延びるケーブル支持部５ｃと、を備えている。
【００２５】
レール取付部５ａの後側は、図１−３に示すような上下のフック部を備えている。また、ケーブル支持部５ｃは、図１−４に示すものと同等な形態になっている。
【００２６】
図示しないネジをネジ止め部５ｄのネジ通し孔５ｗに通し、レール取付部５ａの３個のネジ穴５ｘ、５ｙ、５ｚのいずれかにネジ込んでネジ止め部５ｄとレール取付部５ａとを締結し、全体として実施の形態１のケーブル固定具４と略同形のケーブル固定具５を形成する。すなわち、アーム部５ｂは、レール取付部５ａに着脱可能であり、レール取付部５ａの上下方向に離間した複数箇所のいずれかに取付け可能である。
【００２７】
レール取付部５ａの上下方向に離間した複数（３個）のネジ穴５ｘ、５ｙ、５ｚを設けたので、機器ユニット２ａ〜２ｃの種類により、シールドケーブル３と接続される機器ユニット２ａ〜２ｃの端子の上下位置が異なる場合、機器ユニット２ａ〜２ｃの種類に合わせて、シールドケーブル３の固定位置を上下に移動させることができる。
【００２８】
なお、ケーブル固定具５の、レール取付部５ａ、ネジ止め部５ｄ、アーム部５ｂ及びケーブル支持部５ｃの形状は、任意の形状とすることができる。また、ネジ止め部５ｄとレール取付部５ａの締結は、ネジ以外の締結具で行ってもよい。
【００２９】
金属レール１とケーブル固定具５とは、実施の形態２のケーブル固定装置を構成している。実施の形態２のケーブル固定装置を用いれば、制御装置の筐体５０に、ケーブル固定具５を固定するための通し孔やネジ孔等を設ける必要がない。
【００３０】
実施の形態３．
図３−１は、本発明にかかるケーブル固定装置の実施の形態３を模式的に示す斜視図であり、図３−２は、実施の形態３を模式的に示す上面図であり、図３−３は、実施の形態３を模式的に示す側面図である。
【００３１】
図３−１〜図３−３に示すように、金属製の実施の形態３のケーブル固定具６は、縦長四角筒状に形成され前面中央部に縦長のスリット６ｘを設けたレール取付部６ａと、板状に形成されネジ通し孔６ｗを設けたネジ止め部６ｄと、ネジ止め部６ｄから前方に延びるアーム部６ｂと、アーム部６ｂの前端部からＩ／Ｏユニット２ａの前方へ横方向に延びるケーブル支持部６ｃと、を備えている。
【００３２】
レール取付部６ａの後側は、図１−３に示すような上下のフック部を備えている。また、ケーブル支持部６ｃは、図１−４に示すものと同等な形態になっている。
【００３３】
ネジ６ｆを、ネジ止め部６ｄのネジ通し孔６ｗ及びレール取付部６ａのスリット６ｘに通し、レール取付部６ａの筒内に摺動（スライド）可能に嵌め込まれた矩形板状のナット６ｅにネジ込んでネジ止め部６ｄとレール取付部６ａとを締結し、全体として実施の形態１のケーブル固定具４と略同形のケーブル固定具６を形成する。
【００３４】
レール取付部６ａの前面中央部に縦長のスリット６ｘを設けたので、機器ユニット２ａ〜２ｃの種類により、シールドケーブル３と接続される機器ユニット２ａ〜２ｃの端子の上下位置が異なる場合、機器ユニット２ａ〜２ｃの種類に合わせてナット６ｅ及びアーム６ｂを上下に摺動（スライド）させ、シールドケーブル３の固定位置を上下に移動させ最適な位置に固定することができる。
【００３５】
なお、ケーブル固定具６の、レール取付部６ａ、ネジ止め部６ｄ、アーム部６ｂ及びケーブル支持部６ｃの形状は、任意の形状とすることができる。また、ネジ止め部６ｄとレール取付部６ａの締結は、ネジ以外の締結具で行ってもよい。
【００３６】
金属レール１とケーブル固定具６とは、実施の形態３のケーブル固定装置を構成している。実施の形態３のケーブル固定装置を用いれば、制御装置の筐体５０に、ケーブル固定具６を固定するための通し孔やネジ孔等を設ける必要はない。
【００３７】
実施の形態４．
図４−１は、本発明にかかるケーブル固定装置の実施の形態４を模式的に示す斜視図であり、図４−２は、実施の形態４を模式的に示す上面図であり、図４−３は、実施の形態４を模式的に示す側面図である。
【００３８】
図４−１〜図４−３に示すように、金属製の実施の形態４のケーブル固定具７は、縦長に形成され上下方向中間部に二つの軸受部７ｘ、７ｘを設けたレール取付部７ａと、後端部に、二つの軸受部７ｘ、７ｘ間に挿入される軸受部７ｙを設けたアーム部７ｂと、アーム部７ｂの前端部からＩ／Ｏユニット２ａの前方へ横方向に延びるケーブル支持部７ｃと、軸受部７ｘ、７ｙ、７ｘに挿通されアーム部７ｂをレール取付部７ａに対して上下回動可能に支持する回動軸７ｄと、を備えている。
【００３９】
レール取付部７ａの後側は、図１−３に示すような上下のフック部を備えている。また、ケーブル支持部７ｃは、図１−４に示すものと同等な形態になっている。
【００４０】
回動軸７ｄを軸受部７ｘ、７ｙ、７ｘに挿通してナット７ｅにネジ込み、軸受部７ｘ、７ｙ、７ｘを締付けて軸受部７ｘ、７ｙ、７ｘ間に摩擦力を持たせ、アーム部７ｂをレール取付部７ａに対して所望の角度で固定し、全体として実施の形態１のケーブル固定具４と略同形のケーブル固定具７を形成する。
【００４１】
アーム部７ｂをレール取付部７ａに対して所望の角度に上下回動させて固定できるので、機器ユニット２ａ〜２ｃの種類により、シールドケーブル３と接続される機器ユニット２ａ〜２ｃの端子の上下位置が異なる場合、機器ユニット２ａ〜２ｃの種類に合わせてアーム部７ｂを上下回動させてシールドケーブル３の固定位置を上下に移動させ最適な位置に固定することができる。
【００４２】
なお、ケーブル固定具７の、レール取付部７ａ、アーム部７ｂ及びケーブル支持部７ｃの形状は、任意の形状とすることができる。金属レール１とケーブル固定具７とで、実施の形態４のケーブル固定装置を構成している。実施の形態４のケーブル固定装置を用いれば、制御装置の筐体５０に、ケーブル固定具７を固定するための通し孔やネジ孔等を設ける必要はない。
【００４３】
実施の形態５．
図５−１は、本発明にかかるケーブル固定装置の実施の形態５を模式的に示す上面図であり、図５−２は、実施の形態５を模式的に示す側面図である。
【００４４】
図５−１及び図５−２に示すように、金属製の実施の形態５のケーブル固定具８は、縦長に形成されたレール取付部８ａと、レール取付部８ａから前方に延び、前後方向に離隔させて３個のネジ通し孔８ｘ、８ｙ、８ｚを設けた長方形板状の第１アーム部８ｄと、後端部にネジ通し孔８ｗを設けた長方形板状の第２アーム部８ｂと、第２アーム部８ｂの前端部からＩ／Ｏユニット２ａの前方へ横方向に延びるケーブル支持部８ｃと、を備えている。
【００４５】
レール取付部８ａの後側は、図１−３に示すような上下のフック部を備えている。また、ケーブル支持部８ｃは、図１−４に示すものと同等な形態になっている。また、レール取付け部８ａは、実施の形態２〜４に示すようになっていてもよい。
【００４６】
ネジ８ｅを第２アーム部８ｂのネジ通し孔８ｗに通し、さらに第１アーム部８ｄの３個のネジ通し孔８ｘ、８ｙ、８ｚのいずれかに通し、ナット８ｆにネジ込んで第１アーム部８ｄと第２アーム部８ｂとを締結し、全体として実施の形態１のケーブル固定具４と略同形のケーブル固定具８を形成する。
【００４７】
第１アーム部８ｄの前後方向（奥行き方向）に離間させて複数（３個）のネジ通し孔８ｘ、８ｙ、８ｚを設けたので、機器ユニット２ａ〜２ｃの種類により、奥行きが異なる場合、機器ユニット２ａ〜２ｃの奥行きに合わせてアーム部を伸縮させ、シールドケーブル３の固定位置を前後に移動させることができる。
【００４８】
なお、ケーブル固定具８の、レール取付部８ａ、第１、第２アーム部８ｄ、８ｂ及びケーブル支持部８ｃの形状は、任意の形状とすることができる。また、第１アーム部８ｄの前後方向（奥行き方向）に間隔を空けて複数（３個）のネジ通し孔８ｘ、８ｙ、８ｚを設けたが、ネジ通し孔８ｘ、８ｙ、８ｚの代わりに前後方向に長いスリットを設けてもよい。
【００４９】
金属レール１とケーブル固定具８とは、実施の形態５のケーブル固定装置を構成している。実施の形態５のケーブル固定装置を用いれば、制御装置の筐体５０に、ケーブル固定具８を固定するための通し孔やネジ孔等を設ける必要はない。
【００５０】
実施の形態６．
図６−１は、本発明にかかるケーブル固定装置の実施の形態６を模式的に示す上面図であり、図６−２は、実施の形態６を模式的に示す分解上面図である。
【００５１】
図６−１及び図６−２に示すように、金属製の実施の形態６のケーブル固定具９は、縦長に形成されたレール取付部９ａと、レール取付部９ａから前方に延びるアーム部９ｂと、アーム部９ｂの前端部から横方向に延び、ネジ通し孔９ｘが設けられた板状のネジ止め部９ｄと、左端部にネジ通し孔９ｗが設けられＩ／Ｏユニット２ａの前方へ横方向へ延びるケーブル支持部９ｃと、を備えている。ケーブル支持部９ｃは、ネジ通し孔９ｗと孔９ｖとの間の距離が異なり長さの異なるものが複数備えられている（図示せず）。
【００５２】
レール取付部９ａの後側は、図１−３に示すような上下のフック部を備えている。また、ケーブル支持部９ｃは、図１−４に示すものと同等な形態になっている。また、レール取付け部９ａ及びアーム部９ｂは、実施の形態２〜５に示すようになっていてもよい。
【００５３】
ネジ９ｅをネジ止め部９ｄのネジ通し孔９ｅ及びケーブル支持部９ｃのネジ通し孔９ｗに通し、ナット９ｆにネジ込んでネジ止め部９ｄとケーブル支持部９ｃとを締結し、全体として実施の形態１のケーブル固定具４と略同形のケーブル固定具９を形成する。
【００５４】
ネジ通し孔９ｗと孔９ｖとの間の距離が異なり長さの異なる複数のケーブル支持部９ｃを備えるので、シールドケーブル３の左右方向の固定位置を調整することができる。なお、ケーブル固定具９の、レール取付部９ａ、アーム部９ｂ及びケーブル支持部９ｃの形状は、任意の形状とすることができる。
【００５５】
金属レール１とケーブル固定具９とは、実施の形態６のケーブル固定装置を構成している。実施の形態６のケーブル固定装置を用いれば、制御装置の筐体５０に、ケーブル固定具９を固定するための通し孔やネジ孔等を設ける必要がない。
【００５６】
実施の形態７．
図７−１は、本発明にかかるケーブル固定装置の実施の形態７を模式的に示す上面図であり、図７−２は、実施の形態７のケーブル固定装置のシールドケーブル固定位置調整後を模式的に示す上面図である。
【００５７】
図７−１及び図７−２に示すように、金属製の実施の形態７のケーブル固定具１０は、縦長に形成されたレール取付部１０ａと、レール取付部１０ａから前方に延びるアーム部１０ｂと、アーム部１０ｂの前端部から横方向に延び、横方向に離間させて複数（３個）のネジ通し孔１０ｘ、１０ｙ、１０ｚが設けられた横長のネジ止め部１０ｄと、左端部にネジ通し孔１０ｗが設けられ右方に孔１０ｖが設けられたケーブル支持部１０ｃと、を備えている。
【００５８】
レール取付部１０ａの後側は、図１−３に示すような上下のフック部を備えている。また、ケーブル支持部１０ｃは、図１−４に示すものと同等な形態になっている。また、レール取付け部１０ａ及びアーム部１０ｂは、実施の形態２〜６に示すようになっていてもよい。
【００５９】
ネジ１０ｅをネジ止め部１０ｄのネジ通し孔１０ｘ、１０ｙ、１０ｚのいずれか一つ及びケーブル支持部１０ｃのネジ通し孔１０ｗに通し、ナット１０ｆにネジ込んでネジ止め部１０ｄとケーブル支持部１０ｃとを締結し、全体として実施の形態１のケーブル固定具４と略同形のケーブル固定具１０を形成する。
【００６０】
ネジ止め部１０ｄの左右方向に間隔を空けて複数（３個）のネジ通し孔１０ｘ、１０ｙ、１０ｚを設けたので、ケーブル支持部を伸縮させ、シールドケーブル３の左右方向の固定位置を調整することができる。なお、ケーブル固定具１０の、レール取付部１０ａ、アーム部１０ｂ及びケーブル支持部１０ｃの形状は、任意の形状とすることができる。
【００６１】
なお、ケーブル固定具１０の左右方向に間隔を空けて複数（３個）のネジ通し孔１０ｘ、１０ｙ、１０ｚを設けたが、ネジ通し孔１０ｘ、１０ｙ、１０ｚの代わりに左右方向に長いスリットを設け、ケーブル支持部を伸縮させてもよい。
【００６２】
金属レール１とケーブル固定具１０とは、実施の形態７のケーブル固定装置を構成している。実施の形態７のケーブル固定装置を用いれば、制御装置の筐体５０に、ケーブル固定具１０を固定するための通し孔やネジ孔等を設ける必要がない。
【産業上の利用可能性】
【００６３】
以上のように、本発明にかかるケーブル固定装置は、ＣＣ−ＬＩＮＫ（ＦＡシステムにおける制御と情報のデータ処理を同時に高速で行うフィールドネットワークシステム）等のシールドケーブルの固定とシールド部の接地に有用である。
【図面の簡単な説明】
【００６４】
【図１−１】本発明にかかるケーブル固定装置の実施の形態１を模式的に示す斜視図である。
【図１−２】実施の形態１を模式的に示す上面図である。
【図１−３】図１−２のＡ―Ａ線に沿う断面図でありケーブル固定具のレール取付部の詳細を示す図である。
【図１−４】図１−２のＢ−Ｂ線に沿う断面図でありケーブル固定具のケーブル支持部の詳細を示す図である。
【図２】本発明にかかるケーブル固定装置の実施の形態２を模式的に示す斜視図である。
【図３−１】本発明にかかるケーブル固定装置の実施の形態３を模式的に示す斜視図である。
【図３−２】実施の形態３を模式的に示す上面図である。
【図３−３】実施の形態３を模式的に示す側面図である。
【図４−１】本発明にかかるケーブル固定装置の実施の形態４を模式的に示す斜視図である。
【図４−２】実施の形態４を模式的に示す上面図である。
【図４−３】実施の形態４を模式的に示す側面図である。
【図５−１】本発明にかかるケーブル固定装置の実施の形態５を模式的に示す上面図である。
【図５−２】実施の形態５を模式的に示す側面図である。
【図６−１】本発明にかかるケーブル固定装置の実施の形態６を模式的に示す上面図である。
【図６−２】実施の形態６を模式的に示す分解上面図である。
【図７−１】本発明にかかるケーブル固定装置の実施の形態７を模式的に示す上面図である。
【図７−２】実施の形態７のケーブル固定装置のケーブル固定位置調整後を模式的に示す上面図である。
【符号の説明】
【００６５】
１  金属レール
２ａ  Ｉ／Ｏユニット（機器ユニット）
２ｂ  ＣＰＵユニット（機器ユニット）
２ｃ  電源ユニット（機器ユニット）
３  シールドケーブル
３ａ  シールド部
３ｂ  芯線
３ｘ  ソケット
４，５，６，７，８，９，１０  ケーブル固定具
４ａ，５ａ，６ａ，７ａ，８ａ，９ａ，１０ａ  レール取付部
４ｂ，５ｂ，６ｂ，７ｂ，８ｂ，８ｄ，９ｂ，１０ｂ  アーム部
４ｃ，５ｃ，６ｃ，７ｃ，８ｃ，９ｃ，１０ｃ  ケーブル支持部
５０  金属筐体
【図１−１】
2008153283.tif 000003
【図１−２】
2008153283.tif 000004
【図１−３】
2008153283.tif 000005
【図１−４】
2008153283.tif 000006
【図２】
2008153283.tif 000007
【図３−１】
2008153283.tif 000008
【図３−２】
2008153283.tif 000009
【図３−３】
2008153283.tif 000010
【図４−１】
2008153283.tif 000011
【図４−２】
2008153283.tif 000012
【図４−３】
2008153283.tif 000013
【図５−１】
2008153283.tif 000014
【図５−２】
2008153283.tif 000015
【図６−１】
2008153283.tif 000016
【図６−２】
2008153283.tif 000017
【図７−１】
2008153283.tif 000018
【図７−２】
2008153283.tif 000019